(57)【要約】【課題】ワイヤチューブの切断後、ペンチを持つ手の動きを変更せずにワイヤチューブの拡張作業を実施できるペンチのチューブ拡張付加装置を提供する。【解決手段】ペンチはペンチ爪１０、１０'をペンチ頭１１、１１'で交差させ結合することで形成され、ペンチ頭１１、１１'に切断刃面１２が設けられ、ペンチ頭１１、１１'後段の握り柄１３、１３'の間にスプリング１５が設置され、スプリング１５によって、ペンチ頭１１、１１'が開いた状態を維持し、１つのペンチ爪１０のペンチ頭１１に定位置留め金１４が増設され、ペンチ頭１１、１１'が閉じた形態で固定され、ペンチ頭１１、１１'区域内に尖錐状チューブ拡張部２３があるチューブ拡張部品が付加され、ペンチの切断機能及びチューブ拡張機能をペンチ頭１１、１１'部位に集中させることにより、ペンチでワイヤチューブを切断した後、即時にチューブ拡張部品で切断面の拡張作業が可能である。【選択図】図２
0003118446.tif 000002
【実用新案登録請求の範囲】
【請求項１】
ペンチに付加するチューブ拡張装置であって、前記ペンチは主に２つの同形のペンチ爪をペンチ頭で交差させ、回転鋲で結合することにより形成され、前記ペンチ頭には切断刃面が設けられ、ペンチ頭後段に伸びている２つの握り柄の間には別途スプリングが設置され、そのスプリングの作用を利用して２つの握り柄及び２つのペンチ頭が開いている状態を維持し、ワイヤチューブの切断作業実施を有利にし、１つのペンチ爪に相対するペンチ頭回転鋲軸のやや下側位置に１つの定位置留め金が増設されて２つのペンチ頭を閉じた形態で定位置固定し、不使用時の収蔵安全性を維持し、
前記ペンチのペンチ頭区域範囲内の予定部位に１つの尖錐状チューブ拡張部があるチューブ拡張部品が整合付加され、前記尖錐状チューブ拡張部は突出した形態を保持し、且つ前記チューブ拡張部品の付設はペンチの切断機能を邪魔せず、ペンチの切断機能及びチューブ拡張機能をペンチ頭部位に整合集中させることにより、ペンチを利用してワイヤチューブの長さ切断を完成した後、即時に付設のチューブ拡張部品でその切断面のチューブ拡張作業が可能であり、且つそのペンチ所持を変更する動作が全く必要なく、全体作業が更に簡便でスムースになることを特徴とするペンチのチューブ拡張付加装置。
【請求項２】
前記チューブ拡張部品はペンチの２つのペンチ爪のペンチ頭回転鋲栓に整合付加されていることを特徴とする請求項１記載のペンチのチューブ拡張付加装置。
【請求項３】
前記チューブ拡張部品はペンチの１つのペンチ爪の定位置止め金の回転鋲栓に整合付加されていることを特徴とする請求項１記載のペンチのチューブ拡張付加装置。
【請求項４】
前記チューブ拡張部品はペンチの任意の１つのペンチ爪の予定位置に整合付加されていることを特徴とする請求項１記載のペンチのチューブ拡張付加装置。
【請求項５】
前記チューブ拡張部品は栓部品形態に製造され、その一端は比較的大きい栓頭部に設計され、別の一端は尖錐状のチューブ拡張部に設計され、その中段にはねじ山が設けられ、別製造のナットが配合されてチューブ拡張部品は直接回転鋲のその付加部位に締め付けられることを特徴とする請求項１記載のペンチのチューブ拡張付加装置。
【請求項６】
チューブ拡張部品は栓部品形態に製造され、その一端は比較的大きい栓頭部に設計され、別の一端は尖錐状のチューブ拡張部に設計され、その中段には１つの止め輪嵌め込み槽が設計され、別製造のＣ型止め輪が配合されてチューブ拡張部品は直接回転鋲のその付加部位に締め付けられることを特徴とする請求項１記載のペンチのチューブ拡張付加装置。
【請求項７】
チューブ拡張部品は締め付け或いは回転鋲方式を採取して、直接製造或いは付加増設されることを特徴とする請求項１記載のペンチのチューブ拡張付加装置。
【考案の詳細な説明】
【技術分野】
【０００１】
本考案はペンチに付加するチューブ拡張装置であり、主に自転車のブレーキワイヤチューブ切断後のチューブ拡張作業の需要について考慮した。ペンチの爪に近い部位の予定位置に１つの尖錐状のチューブ拡張部品を増設し、ワイヤチューブ切断後に当該チューブ拡張部品により直接ワイヤチューブの切断口に対してチューブ拡大を行い、後続のブレーキワイヤ通し作業を有利にするものである。同時にそのチューブ拡張部品の付設位置設計はその正常な挟み切り機能に影響せず、特にそのチューブ拡張作業の安定性を向上させ、チューブ拡張作業を簡単しかも順調に実施できるものである。
【背景技術】
【０００２】
一般に自転車のブレーキワイヤはその配置上、通常ワイヤチューブにブレーキワイヤを通し、ブレーキワイヤがブレーキトリガーを引いて締める或いは緩める動作でワイヤチューブ内のスペースを動き、その正常なブレーキ機能並びに安全性を維持している。
また、前述のワイヤチューブは自転車のモデル、サイズの差、及び前後輪のブレーキ配置位置の違いにより、必要なブレーキワイヤ及びワイヤチューブを適切な長さに切断しなければならず、業者は専用のペンチを研究開発して、ブレーキワイヤ及びワイヤチューブの切断作業時に比較的簡単な実施がえられるようにしたく考えてきた。
【０００３】
ただ、前述のブレーキワイヤを通すワイヤチューブは、多くが中空パイプ状の設計で、ペンチでの切断過程において、ペンチの２つの刃部分が先にワイヤチューブを押し挟み、その後切断するので、その切断断面は押し潰された扁平形態を呈する。特に後続のブレーキワイヤ通し作業に影響するため、別途製造したチューブ拡張器を利用して、後続のブレーキワイヤ通し作業がしやすいように、ワイヤチューブの切断断面部を元の円形チューブ状に回復させる必要がある（以上は図１、図１Ａ、図１Ｂを参照）。
【０００４】
しかし、当該のチューブ拡張器は別途製作の工具で、使用上非常に面倒且つ不便であるため、業者はまたチューブ拡張部品をペンチの握り柄末端に付設した構造を設計し、１つのペンチが２つの機能を持つ実用性を賦与した。ただ、その切断とチューブ拡張機能はそれぞれペンチの両端に位置しているため、異なる機能を使用する場合、その所持しているペンチを持ち替える手の動きが必要になり、それでようやく切断或いはチューブ拡張の機能がスムースに使用できる。しかもチューブ拡張部品の活動芯ユニットの安定が比較的悪く、使用のスムース性や便利性が明らかに不足しており、改善を加えて解決する必要があった。
【考案の開示】
【考案が解決しようとする課題】
【０００５】
周知のペンチにチューブ拡張部品が付設されていても、その使用上において便利とは言いがたいことに鑑み、本考案者は研究改良に着手した。その関連する業種に長年従事した経験と技術に基づき、本考案のペンチ構造を研究創出した。即ち、本考案の主要目的は、構造の組成設計を通じて、チューブ拡張機能と切断機能を整合してペンチの爪部位に集中させ、そのワイヤチューブ切断作業完了後、ペンチを所持する手の動きを変更することなく、直接付設してあるチューブ拡張部品でワイヤチューブの拡張作業を実施でき、簡便でスムースな手の動きで実用的価値を達成させることである。
【０００６】
本考案の別の目的は、構造の組成設計を通じて、そのペンチの切断機能に影響しない原則の下、チューブ拡張部品をペンチの爪区域の予定位置に特に付設することで、ワイヤチューブの切断及び拡張作業を一気呵成に行い、作業の順調性を大幅に向上させることである。
【０００７】
本考案の更に別の目的は、そのチューブ拡張部品をペンチ爪の固定ユニットに付設する形態を通じて、そのチューブ拡張部品によりワイヤチューブのチューブ拡張作業を実施する場合に、作業を安定して行うことができ、手指でチューブ拡張部品を補助固定する必要なく、その作業の簡便性を増進させることである。
【課題を解決するための手段】
【０００８】
本考案のペンチのチューブ拡張付加装置は、ペンチに付加するチューブ拡張装置であって、前記ペンチは主に２つの同形のペンチ爪をペンチ頭で交差させ、回転鋲で結合することにより形成され、前記ペンチ頭には切断刃面が設けられ、ペンチ頭後段に伸びている２つの握り柄の間には別途スプリングが設置され、そのスプリングの作用を利用して２つの握り柄及び２つのペンチ頭が開いている状態を維持し、ワイヤチューブの切断作業実施を有利にし、１つのペンチ爪に相対するペンチ頭回転鋲軸のやや下側位置に１つの定位置留め金が増設され、２つのペンチ頭が閉じた形態で定位置固定され、不使用時の収蔵安全性を維持し、前記ペンチのペンチ頭区域範囲内の予定部位に１つの尖錐状チューブ拡張部があるチューブ拡張部品が整合付加され、前記尖錐状チューブ拡張部は突出した形態を保持し、且つ前記チューブ拡張部品の付設はペンチの切断機能を邪魔せず、ペンチの切断機能及びチューブ拡張機能をペンチ頭部位に整合集中させることにより、ペンチを利用してワイヤチューブの長さ切断を完成した後、即時に付設のチューブ拡張部品でその切断面のチューブ拡張作業が可能であり、且つそのペンチ所持を変更する動作が必要ないことにより、全体作業が更に簡便でスムースになることを特徴とする。
【考案を実施するための最良の形態】
【０００９】
本考案の構造組成、技術手段及び効能達成面について、図面を配して実施例を以って、以下に具体的に説明する。
まず、図２の模式図、図３の模式図及び図４〜図６の模式図を参照する。これは、本考案の１つの比較的良好な実施例である。図に示すように、そのペンチは構造設計上、主に２つの同形のペンチ爪１０、１０’をそのペンチ頭部１１、１１’部位で交差させ鋲で結合することにより形成されている。そのペンチ頭部１１、１１’には挟み切りの刃面１２が設置してあり、ペンチ頭部１１後段の延長した２つの握り柄１３、１３’の間で別途１つのスプリング１４を挟んでいる。当該スプリング１４の作用を利用して、２つの握り柄１３、１３’及び２つのペンチ頭部１１、１１’は開いた状態を維持していて、これによりワイヤチューブ１の切断作業の実施を有利にしている。また、その内の１つのペンチ爪１０のペンチ頭部１１、１１’に相対する回転鋲軸部のやや下側位置に１つの定位置止め金１５を増設して、２つのペンチ頭部１１、１１’の挟みあった形態を定位置で固定し、不使用時の収蔵安全性を維持するようにしている。
【００１０】
その内、当該２つのペンチ爪１０、１０’を鋲で結合する際、別途製作のチューブ拡張部品２０を回転鋲の栓材とし、当該チューブ拡張部品２０の一端に直径がペンチ爪１１、１１’の回転穴１１２より大きい栓頭部２１を設け、栓頭部２１表面には更にドライバーと噛合うマイナス或いはプラス字型の差込槽を設けて、その組立作業を便利にしている。チューブ拡張部品２０の中段にはねじ山部２２があり、ナット３０と呼応させて締めることで、２つのペンチ爪１０、１０’の回転鋲組合せを完成させることができる。チューブ拡張部品２０のねじ山部２２の別の一端には尖錐状のチューブ拡張部２３が延長製造されている。これにより、当該チューブ拡張部品２０を利用して回転鋲の栓部品とし、２つのペンチ爪１０、１０’の回転鋲結合を完成させることができる。即ちチューブ１切断面のチューブ拡張作業に必要なチューブ拡張部品２０でペンチの頭部１１、１１’回転中心位置を整合し、２つのペンチ爪１０、１０’にチューブ拡張部品２０を軸としてチューブ１の正常な切断作業を行わせ、ワイヤチューブ１の長さ切断完成後、回転中心のチューブ拡張部品２０のチューブ拡張部２３をワイヤチューブ１の挟むことで扁平にされた切断面の口内に直接挿入してチューブ拡張作業を行い、ワイヤチューブ１の切断面を円形の状態に回復させ、後続のブレーキワイヤ２の通し作業を有利にさせる。
【００１１】
前述のペンチ構造設計において、直接チューブ拡張部品２０をペンチの回転鋲栓として、チューブ１の拡張作業のためのチューブ拡張部品２０でペンチ頭部１１、１１’部位を整合したが、当該チューブ拡張部品２０のチューブ拡張部２３はペンチの正常な切断機能を邪魔せず、ワイヤチューブ１の切断作業後、手に所持しているペンチを持ち替える動作を必要としないので、直接回転軸部位のチューブ拡張部品２０のチューブ拡張部２３でそのチューブ拡張作業を完成できる。この様にして、その一連の作業を更に順調に行うことができ、同時に操作使用もスムースなので、周知のチューブ拡張部品が握り柄の末端に付設してあるペンチと比較して、更に使用の便利さ、スムースさに符合する実用的価値がある。且つ、当該チューブ拡張部品２０のチューブ拡張部２３は側面に突出している形態を維持しているので、チューブ拡張作業を行う際、更に安定した作業ができ、手指で拡張するワイヤチューブを補助固定する必要がなく、その作業の簡便性を更に増進する。
【００１２】
次に、図７の模式図及び図８の模式図を参照する。これは本考案の次に比較的良好な実施例である。図に示すように、そのペンチの基本機能構造は前述の実施例を踏襲しているが、その差異はこの実施例中では前述のチューブ拡張部品２０を定位置止め金１５の回転鋲栓部品に換えている点である。チューブ拡張部品２０の栓頭部２１及び中段に設けられた止め輪嵌め込み槽２４を利用して、別製造のＣ型止め輪４０を配合する設計で、定位置止め金１５とペンチ爪１０の回転鋲を結合させる。チューブ拡張部２３をペンチの頭１１、１１’エリア内で整合し、そのチューブ拡張部２３の側面突出形態を維持させる。これにより、その切断機能とチューブ拡張機能をペンチ頭１１、１１’部位に集中整合させ、相互に邪魔しない設計になっている。ペンチを利用したワイヤチューブの長さ切断後、即時に付設のチューブ拡張部２３で切断面のチューブ拡張作業を行うことができ、全くペンチを持ち替える動作を必要としないので、全体作業を簡単にスムースに行うことができる。
【００１３】
また、図９の模式図及び図１０の模式図を参照する。これは本考案の別の１つの比較的良好な実施例である。図に示す通り、そのチューブ拡張機能の整合付加において、ペンチの１つのペンチ爪１１の１つの側面の適当な位置に１つの穴１６を増設し、Ｃ型止め輪４０を利用して前述のチューブ拡張部品２０中段に設けられている留め輪嵌め込み槽２４を配合し、前述のチューブ拡張部品２０を直接ペンチ爪１０回転鋲上に置き、切断機能とチューブ拡張機能を整合させている。当該チューブ拡張部品２０はすでにペンチ頭１１、１１’の挟み切り部位から離れているので、切断機能の邪魔をしない。しかし、当該チューブ拡張部品２０は基本的にやはりペンチ頭１１、１１’の区域範囲内にあるので、ワイヤチューブの切断作業を実施した後も、ペンチを持ち替える動作を必要としないで、当該チューブ拡張部品２０のチューブ拡張部２３でワイヤチューブに対してチューブ拡張作業を行うことができ、同様にその作業上において頗る良好な簡便性とスムース性を与えている。
【００１４】
以上説明したように、本考案はペンチの構造設計において、全く新しくチューブ拡張部品をペンチの頭部位に付加し、ペンチの切断機能に対して邪魔をしていない。この様に、ワイヤチューブの長さ切断作業及び後続のチューブ拡張作業を、同一のペンチで達成できる。且つその切断及びチューブ拡張機能の構造はペンチ頭部位に集中しているので、ペンチでのワイヤチューブ切断作業完成後、ペンチ頭区域に付設してあるチューブ拡張部品で即座にチューブ拡張作業を行うことができるので、手持ちのペンチを持ち替える動作が全く必要ない。この様にして、全体作業の流れが更にスムースになり、且つ操作も簡便でスムースであるので、極めて良好な産業利用価値と実用性を有している。
【図面の簡単な説明】
【００１５】
【図１】周知のペンチで実施するワイヤチューブ切断作業を示す模式図である。
【図１Ａ】ワイヤチューブの正常状態下での状態を示す模式図である。
【図１Ｂ】ワイヤチューブの切断後の状態を示す模式図である。
【図２】本考案の実施例によるペンチのチューブ拡張付加装置を示す模式図である。
【図３】本考案の実施例によるペンチのチューブ拡張付加装置を示す模式図である。
【図４】本考案の実施例によるペンチのチューブ拡張付加装置でチューブ拡張作業を実施した状態を示す模式図である。
【図５】本考案の実施例によるペンチのチューブ拡張付加装置でチューブ拡張作業を完成させた状態を示す模式図である。
【図６】ブレーキワイヤのワイヤチューブ通しを示す模式図である。
【図７】本考案の実施例によるペンチのチューブ拡張付加装置を示す模式図である。
【図８】本考案の実施例によるペンチのチューブ拡張付加装置を示す模式図である。
【図９】本考案の実施例によるペンチのチューブ拡張付加装置を示す模式図である。
【図１０】本考案の実施例によるペンチのチューブ拡張付加装置を示す模式図である。
【符号の説明】
【００１６】
１  ワイヤチューブ、２  ブレーキワイヤ、１０、１０'  ペンチ爪、１１、１１'  ペンチ頭、１２  切断刃面、１３、１３'  握り柄、１４  定位置止め金、１５  スプリング、１６  栓穴、２０  チューブ拡張部品、２１  栓頭部、２２  ねじ山部、２３  チューブ拡張部、２４  止め輪嵌め込み槽、３０  ナット、４０  Ｃ型止め輪
【図１】
0003118446.tif 000003
【図１Ａ】
0003118446.tif 000004
【図１Ｂ】
0003118446.tif 000005
【図２】
0003118446.tif 000006
【図３】
0003118446.tif 000007
【図４】
0003118446.tif 000008
【図５】
0003118446.tif 000009
【図６】
0003118446.tif 000010
【図７】
0003118446.tif 000011
【図８】
0003118446.tif 000012
【図９】
0003118446.tif 000013
【図１０】
0003118446.tif 000014